(57)【要約】【課題】使用者の毛髪のｐＨに応じて、最適な量の酸性成分を含んだ酸性ミストを供給すること。【解決手段】酸性成分を含んだ酸性ミストを生成する酸性ミスト生成部９と、前記酸性ミスト生成部９によって生成された酸性ミストを使用者の毛髪１３に向けて放出する酸性ミスト放出口８と、を備えたヘアケア装置１において、前記毛髪１３のｐＨを検出するｐＨ検出部１４と、前記酸性ミスト生成部９から生成される酸性ミストに含まれる酸性成分量を制御する制御部５と、を有し、前記制御部５は、前記ｐＨ検出部１４によって検出された前記毛髪１３のｐＨに応じて酸性ミストの酸性成分量を変更するように制御することにより、毛髪１３のｐＨに適した量の酸性成分が付与されるので、毛髪１３を強固かつなめらかな触感になるようにケアすることができる。【選択図】図１
2014200423.tif 000002
【特許請求の範囲】
【請求項１】
酸性成分を含んだ酸性ミストを生成する酸性ミスト生成部と、前記酸性ミスト生成部によって生成された酸性ミストを使用者の毛髪に向けて放出する酸性ミスト放出口と、を備えたヘアケア装置において、前記毛髪のｐＨを検出するｐＨ検出部と、前記酸性ミスト生成部から生成される酸性ミストに含まれる酸性成分量を制御する制御部と、を有し、前記制御部は、前記ｐＨ検出部によって検出された前記毛髪のｐＨに応じて酸性ミストの酸性成分量を変更するように制御する、ことを特徴とするヘアケア装置。
【請求項２】
前記制御部は、前記ｐＨ検出部によって検出された毛髪のｐＨが高くなるに従い、前記酸性ミスト生成部から生成される酸性ミストに含まれる酸性成分量を増加させるように制御する第１の制御モードを備える、ことを特徴とする請求項１記載のヘアケア装置。
【請求項３】
前記制御部は、前記酸性ミスト生成部から生成される酸性ミストに含まれる酸性成分量を増加させる際に、前記酸性成分量の増加の度合いを前記第１の制御モードより大きくするように制御する第２の制御モードを備える、ことを特徴とする請求項２記載のヘアケア装置。
【請求項４】
前記毛髪に対する前記酸性ミスト放出口の移動距離を検知する距離検知部を備え、前記制御部は、前記距離検知部によって検知された所定の移動距離に対する前記ｐＨ検出部によって検出された毛髪のｐＨの変化量に応じて、前記第１の制御モードまたは前記第２の制御モードのいずれかに切替えるように制御する、ことを特徴とする請求項３記載のヘアケア装置。
【請求項５】
前記制御部は、前記ｐＨ検出部によって検出された毛髪のｐＨが第１の所定の値より高くかつ第２の所定の値より低い場合において、前記距離検知部によって検知された所定の移動距離に対する前記ｐＨ検出部によって検出された毛髪のｐＨの変化量が第３の所定の値以下の際に、前記第２の制御モードに切替えるように制御する、ことを特徴とする請求項４記載のヘアケア装置。
【請求項６】
前記制御部は、前記距離検知部によって検知された所定の移動距離に対する前記ｐＨ検出部によって検出された毛髪のｐＨの変化量が前記第３の所定の値より高くかつ前記毛髪のｐＨの変化量が第４の所定の値以上の際に、前記第２の制御モードに切替えるように制御する、ことを特徴とする請求項５記載のヘアケア装置。
【発明の詳細な説明】
【技術分野】
【０００１】
本発明は、使用者の毛髪に酸性成分を含んだ酸性ミストを供給する、ヘアケア装置に関するものである。
【背景技術】
【０００２】
従来、この種のヘアケア装置は、酸性の液体をミスト化して酸性ミストを生成する酸性ミスト生成部と、水を蒸発させてミスト化して水ミストを生成する、水ミスト生成部とを有している。
【０００３】
また、生成された上記酸性ミストと上記水ミストとを混合し、その混合ミストのｐＨを検出するｐＨ検出部と、ｐＨ検出部によって検出された混合ミストのｐＨに応じて、前記酸性ミスト生成部において生成される酸性ミストの供給量を調整する酸性ミスト調整手段とを備えている。
【０００４】
上記構成のヘアケア装置においては、毛髪に付与する酸性ミストのｐＨを、常に所定の範囲内のｐＨとすることで、使用者の毛髪のｐＨを弱酸性に維持して、毛髪の強度を高めることにより、ダメージに強い毛髪とすることができる（例えば、特許文献１参照）。
【先行技術文献】
【特許文献】
【０００５】
【特許文献１】特開２００９−１３６５６５号公報
【発明の概要】
【発明が解決しようとする課題】
【０００６】
しかしながら、前記従来の構成では、使用者の毛髪のｐＨを検知することができないために、使用者の毛髪のｐＨに応じて、最適な量の酸性成分を含んだ酸性ミストを供給することが困難であった。
【０００７】
具体的には、ヘアカラー剤やパーマネントウェーブ剤等のアルカリ性の薬剤を用いて毛髪の処理を行った場合は、毛髪のｐＨが高くなることで、酸性成分の不足により、毛髪表面のキューティクルを引き締めたり、毛髪内部のイオン結合を組み換えたりする機能が低下してしまい、毛髪の保護を十分に行うことが困難となる場合があった。
【０００８】
一方、ｐＨが低い毛髪の場合は、毛髪に含まれる酸性成分が過剰であり、このため、毛髪内の水分が排出されてしまい、毛髪がパサついた手触りになる可能性があった。
【０００９】
本発明は、前記従来の課題を解決するもので、使用者の毛髪のｐＨに応じて、最適な量の酸性成分を供給可能な、ヘアケア装置を提供することを目的とする。
【課題を解決するための手段】
【００１０】
前記従来の課題を解決するために、本発明のヘアケア装置は、酸性成分を含んだ酸性ミストを生成する酸性ミスト生成部と、前記酸性ミスト生成部によって生成された酸性ミストを使用者の毛髪に向けて放出する酸性ミスト放出口と、を備えたヘアケア装置において、前記毛髪のｐＨを検出するｐＨ検出部と、前記酸性ミスト生成部から生成される酸性ミストに含まれる酸性成分量を制御する制御部と、を有し、前記制御部は、前記ｐＨ検出部によって検出された前記毛髪のｐＨに応じて酸性ミストの酸性成分量を変更するように制御したものである。
【００１１】
これによって、使用者の毛髪のｐＨに応じて、最適な量の酸性成分を毛髪に供給することが可能となる。
【発明の効果】
【００１２】
本発明のヘアケア装置は、毛髪内のイオン結合を強化して毛髪のキューティクルを引き締めることで、毛髪を強固かつなめらかな質感にするとともに、毛髪の保護を十分に行うことができる。
【図面の簡単な説明】
【００１３】
【図１】本発明の実施の形態１におけるヘアケア装置の外観を示す概略斜視図
【図２】（ａ）同ヘアケア装置の概略正面図（ｂ）同ヘアケア装置のＡ−Ａ概略端面図
【図３】同ヘアケア装置の内部構成を示す略概図
【図４】同ヘアケア装置の第１の制御モードにおける毛髪のｐＨと酸性成分量との関係を示す特性図
【図５】同ヘアケア装置の第２の制御モードにおける毛髪のｐＨと酸性成分量との関係を示す特性図
【図６】本発明の実施の形態２におけるヘアケア装置の外観を示す概略斜視図
【図７】同ヘアケア装置の内部構成を示す略概図
【図８】同ヘアケア装置の制御のフローチャート
【図９】同ヘアケア装置の毛髪のｐＨと酸性成分量との関係を示す特性図
【図１０】本発明のヘアケア装置の変形例の内部構造を示す略概図
【図１１】同ヘアケア装置の他の変形例の内部構造を示す略概図
【発明を実施するための形態】
【００１４】
第１の発明は、酸性成分を含んだ酸性ミストを生成する酸性ミスト生成部と、前記酸性ミスト生成部によって生成された酸性ミストを使用者の毛髪に向けて放出する酸性ミスト放出口と、を備えたヘアケア装置において、前記毛髪のｐＨを検出するｐＨ検出部と、前記酸性ミスト生成部から生成される酸性ミストに含まれる酸性成分量を制御する制御部と、を有し、前記制御部は、前記ｐＨ検出部によって検出された前記毛髪のｐＨに応じて酸性ミストの酸性成分量を変更するように制御したものである。
【００１５】
これによって、使用者の毛髪のｐＨに応じて、最適な量の酸性成分を毛髪に供給することで、毛髪内のイオン結合を強化して毛髪のキューティクルを引き締めることで、毛髪を強固かつなめらかな質感にするとともに、毛髪の保護を十分に行うことができる。
【００１６】
第２の発明は、特に、第１の発明の前記制御部は、前記ｐＨ検出部によって検出された毛髪のｐＨが高くなるに従い、前記酸性ミスト生成部から生成される酸性ミストに含まれる酸性成分量を増加させるように制御する第１の制御モードを備えるようにしたものである。
【００１７】
これによって、毛髪のｐＨが高くなる、すなわち毛髪のｐＨがアルカリ性に近づくに従い、より多くの酸性成分を含んだ酸性ミストが毛髪に供給されることとなり、その結果、使用者の毛髪のｐＨを最適な弱酸性とすることで、より毛髪内のイオン結合を強化して毛髪のキューティクルを引き締めて、毛髪をより強固かつなめらかな質感にすることができる。
【００１８】
第３の発明は、特に、第２の発明の前記制御部は、前記酸性ミスト生成部から生成される酸性ミストに含まれる酸性成分量を増加させる際に、前記酸性成分量の増加の度合いを
前記第１の制御モードより大きくするように制御する第２の制御モードを備えるようにしたものである。
【００１９】
これによって、検出された毛髪のｐＨが同じであっても、供給される酸性成分量を異なるものとすることが可能となるため、使用者の毛髪の状態、特に、ヘアカラー剤やパーマネントウェーブ剤等のアルカリ性の薬剤の使用有無に応じて、異なる量の酸性成分を含んだ酸性ミストを毛髪に供給することにより、使用者の毛髪の状態が異なる場合でも、より毛髪内のイオン結合を強化して毛髪のキューティクルを引き締めて、毛髪をより強固かつなめらかな質感にすることができる。
【００２０】
第４の発明は、特に、第３の発明の前記毛髪に対する前記酸性ミスト放出口の移動距離を検知する距離検知部を備え、前記制御部は、前記距離検知部によって検知された所定の移動距離に対する前記ｐＨ検出部によって検出された毛髪のｐＨの変化量に応じて、前記第１の制御モードまたは前記第２の制御モードのいずれかに切替えるように制御したものである。
【００２１】
これによって、上記使用者の毛髪の状態に応じて、上記第１または第２の制御モードの切替えを自動で行うことができるために、使用者に対して制御モードの切替えのわずらわしさを感じさせることなく、使用者の毛髪の状態に応じて最適な量の酸性成分を含んだ酸性ミストを供給し、より簡便に、毛髪内のイオン結合を強化して毛髪のキューティクルを引き締めて、毛髪をより強固かつなめらかな質感にすることができる。
【００２２】
第５の発明は、特に、第４の発明の前記制御部は、前記ｐＨ検出部によって検出された毛髪のｐＨが第１の所定の値より高くかつ第２の所定の値より低い場合において、前記距離検知部によって検知された所定の移動距離に対する前記ｐＨ検出部によって検出された毛髪のｐＨの変化量が第３の所定の値以下の際に、前記第２の制御モードに切替えるように制御したものである。
【００２３】
これによって、毛髪のｐＨが高い場合や、毛髪に対する酸性ミスト放出口の所定の移動距離に対する毛髪のｐＨの変化量が緩やかである場合に、制御部が、上記アルカリ性の薬剤の使用有と判断し、生成される酸性成分量の増加の度合いをより大きくするように制御する。
【００２４】
上記により、上記アルカリ性の薬剤が使用された毛髪に対して、酸性成分を多く含んだ酸性ミストを供給し、毛髪内のイオン結合を強化して毛髪のキューティクルを引き締めて、毛髪をより強固かつなめらかな質感にすることができる。
【００２５】
第６の発明は、特に、第４の発明の前記制御部は、前記距離検知部によって検知された所定の移動距離に対する前記ｐＨ検出部によって検出された毛髪のｐＨの変化量が前記第３の所定の値より高くかつ前記毛髪のｐＨの変化量が第４の所定の値以上の際に、前記第２の制御モードに切替えるように制御したものである。
【００２６】
これによって、毛髪に対する酸性ミスト放出口の所定の移動距離に対する毛髪のｐＨの変化量が大きい場合は、制御部が、過去に上記アルカリ性の薬剤を使用し、かつ新たな毛髪が生えて来た状態であると判断して、生成される酸性成分量の増加の度合いをより大きくするとともに、上記アルカリ性の薬剤を使用された毛髪に対して、酸性成分を多く含んだ酸性ミストを供給するように制御する。
【００２７】
上記により、過去に上記アルカリ性の薬剤が使用された毛髪と、新たに生えて来た毛髪とが存在する場合に、上記アルカリ性の薬剤が使用された毛髪に対してのみ、酸性成分を
多く含んだ酸性ミストを供給し、毛髪内のイオン結合を強化して毛髪のキューティクルを引き締めて、毛髪をより強固かつなめらかな質感にすることができる。
【００２８】
以下、本発明の実施の形態について、図面を参照しながら説明する。なお、この実施の形態によって本発明が限定されるものではない。
【００２９】
（実施の形態１）
図１は、本発明の実施の形態１におけるヘアケア装置の外観を示す概略斜視図を、図２（ａ）は、同ヘアケア装置の概略正面図を、図２（ｂ）は、同ヘアケア装置のＡ−Ａ概略端面図を、そして図３は、同ヘアケア装置の内部構成を示す略概図を示すものである。
【００３０】
図１〜３において、ヘアケア装置１のハウジング１１は、その長手方向の一端同士が、ヒンジによって開閉可能に連結された、第１の挟持部２ａと第２の挟持部２ｂとを備えている。
【００３１】
第１の挟持部２ａと第２の挟持部２ｂとが対向する側には、それぞれ平板状に形成された第１の毛髪挟持面３ａと、第２の毛髪挟持面３ｂとが設けられており、第１の挟持部２ａと第２の挟持部２ｂとが閉じられた際に、第１の毛髪挟持面３ａと第２の毛髪挟持面３ｂとの間に、使用者の毛髪１３が挟持されるように構成されている。
【００３２】
第１の挟持部２ａおよび第２の挟持部２ｂには、それぞれ第１の毛髪挟持面３ａと、第２の毛髪挟持面３ｂとを加熱する、加熱部としてのヒータ４ａとヒータ４ｂとが設けられており、ヒータ４ａ、４ｂにより加熱された第１の毛髪挟持面３ａと第２の毛髪挟持面３ｂとの間に挟持された毛髪１３が加熱されるように構成されている。
【００３３】
上記ヒータ４ａ、４ｂは、ハウジング１１内に収容された制御部５に電気的に接続されており、電源コード６より制御部５に供給された電力を、制御部５がヒータ４ａ、４ｂに供給するように構成されている。
【００３４】
そして、第１の毛髪挟持面３ａの長手方向の側部であって、第１の毛髪挟持面３ａと第２の毛髪挟持面３ｂとの間に毛髪１３が挟持された状態で、ヘアケア装置１が移動する側、即ち施術方向側（図２（ｂ）における左側）には、第１の毛髪挟持面３ａの施術方向側に位置する毛髪１３のｐＨを検知する、ｐＨ検出部１４が配置されている。
【００３５】
ｐＨ検出部としては、ＩＳＦＥＴ（Ｉｏｎ  Ｓｅｎｓｉｔｉｖｅ  Ｆｉｅｌｄ  Ｅｆｆｅｃｔ  Ｔｒａｎｓｉｓｔｏｒ）等の半導体式のｐＨセンサや、ガラス電極式のｐＨセンサを用いることが望ましい。
【００３６】
上記ｐＨ検出部１４は、制御部５に電気的に接続されており、ｐＨ検出部１４が検知したｐＨを制御部５に送信するように構成されている。
【００３７】
さらに、ハウジング１１には、水やトリートメント剤等の液体を貯留する、液体供給部としてのタンク１２およびタンク１２に接続された液体流路１５が設けられており、タンク１２に貯留された液体は、液体流路１５を介して酸性ミスト生成部９に供給されている。
【００３８】
酸性ミスト生成部９は針状の放電電極と、環状の対向電極から構成されていて、放電電極は制御部５に電気的に接続されており、電源コード６より制御部５に供給された電力を、制御部５が酸性ミスト生成部９の放電電極に供給している。
【００３９】
第１の挟持部２ａにおいて、第１の毛髪挟持面３ａの長手方向の側部であって、施術方向と反対側（図２（ｂ）における左側）には、第１の毛髪挟持面３ａと第２の毛髪挟持面３ｂとの間に挟持された毛髪１３に向けて開口した酸性ミスト放出口８が設けられており、酸性ミスト生成部９で生成された酸性ミストを、毛髪１３に向けて放出するように構成されている。
【００４０】
また、ハウジング１１には、使用者が操作するためのスイッチ１０が設けられており、使用者がスイッチ１０を操作することにより、制御部５がヒータ４ａ、４ｂ、または酸性ミスト生成部９を制御している。
【００４１】
以上のように構成されたヘアケア装置について、以下その動作、作用を説明する。
【００４２】
まず、使用者がヘアケア装置１を把持してスイッチ１０をＯＮ（この場合は第１の制御モードを選択）にすると、商用電源等から電源コード６を介して、制御部５に電力が供給される。
【００４３】
次に、制御部５は、ヒータ４ａ、４ｂに電力を供給し、ヒータ４ａ、４ｂが加熱される。ヒータ４ａおよび４ｂから発生した熱は第１の毛髪挟持面３ａおよび第２の毛髪挟持面３ｂへと伝導し、第１の毛髪挟持面３ａおよび第２の毛髪挟持面３ｂが加熱される。
【００４４】
同時に制御部５は、酸性ミスト生成部９の放電電極に電力を供給（この場合は、マイナス電圧を印加）して、放電電極と対向電極との間にコロナ放電を生じさせる。
【００４５】
このとき、酸性ミスト生成部９の放電電極には、タンク１２より液体流路１５を介して液体が供給され、供給された液体は上記放電により微細化されることで、帯電微粒子液体としてのミストが生成される。
【００４６】
また、上記放電により、空気中の窒素が酸化されることで、酸性成分としての硝酸（ＨＮＯ３）等の窒素酸化物が生成される。
【００４７】
生成されたミストは、上記酸性成分と混合（一部溶解）されることで、酸性ミストが生成される。生成された酸性ミストは、酸性ミスト放出口８から放出された後に毛髪１３に供給される。
【００４８】
一方、使用者が第１の挟持部２ａと第２の挟持部２ｂとを閉じて、第１の毛髪挟持面３ａと第２の毛髪挟持面３ｂとで毛髪１３を挟持すると、加熱された第１の毛髪挟持面３ａおよび第２の毛髪挟持面３ｂより毛髪１３へ熱が付与されて、毛髪が加熱される。
【００４９】
同時に、ｐＨ検出部１４に毛髪１３が接触した状態となり、ｐＨ検出部１４は毛髪１３のｐＨを検出して、検出されたｐＨを制御部５へ送信する。
【００５０】
制御部５は、ｐＨ検出部１４から受信したｐＨに応じて、酸性ミスト生成部９から生成される酸性ミストの酸性成分量を制御する。
【００５１】
具体的には図４に示すように、制御部５は、ｐＨ検出部１４によって検出された毛髪１３のｐＨが上昇するに従って、生成する酸性ミストの酸性成分量が増加するよう、酸性ミスト生成部９の放電電極に供給される電力を増加させるように制御する。
【００５２】
よって、毛髪のｐＨが高くなる、すなわち毛髪がアルカリ性に近づくに従い、より多くの酸性成分を含んだ酸性ミストが毛髪に供給されることとなり、その結果、使用者の毛髪
のｐＨを弱酸性とすることで、より毛髪内のイオン結合を強化して毛髪のキューティクルを引き締めて、毛髪をより強固かつなめらかな質感にすることができる。
【００５３】
ここで、毛髪に供給される酸性成分は、０．００１ｍｇ／Ｌ〜０．１ｍｇ／Ｌ程度であり、好ましくは、０．００５ｍｇ／Ｌ〜０．０５ｍｇ／Ｌ程度である。
【００５４】
なお、上記酸性成分量は、酸性ミストを１秒間発生し続けた際に、酸性ミスト生成部９から３ｃｍの距離にある一定量の液体に溶解された酸性成分量を測定することにより得られた値を示す。
【００５５】
使用者がスイッチ１０をＯＦＦにすると、制御部５からの電源供給が停止し、ヘアケア装置１の動作が終了する。
【００５６】
以上のように、本実施の形態においては、制御部５が、使用者の毛髪１３のｐＨに応じて、酸性ミスト生成部９から生成される酸性ミストの酸性成分量を制御することにより、毛髪１３のｐＨに適した量の酸性成分が供給される。
【００５７】
毛髪１３のｐＨは本来弱酸性であり、ｐＨが３〜５．５付近が電気的に中性な点（等電点）といわれている。この等電点にある毛髪１３は、内部のアミノ酸同士のイオン結合が強固に結合されている状態になる。
【００５８】
しかしながら、毛髪１３は日常のシャンプーやブラッシング、ドライヤーやヘアアイロン等の使用による熱、日光暴露等によってダメージを受け、内部のアミノ酸バランスが崩れ、毛髪１３のｐＨが上昇する。そして、内部のイオン結合が切断され、こしがなくなり、毛髪１３の外殻であるキューティクルが開き、手触りや見た目が悪化する。
【００５９】
このような毛髪１３に酸性成分が付与されると、毛髪１３のｐＨが低下し、等電点に近づくことで、内部のイオン結合が再結合する。そのため、毛髪１３の繊維自体の引っ張り強度や曲げ・ねじり剛性も向上する。またキューティクルが引き締まった状態になる。
【００６０】
そのような毛髪１３は、硬く、ダメージに強くなり、また、表面の凹凸が緩和され、摩擦抵抗が低下するため、滑らかな触感となり、光の乱反射が抑制され、見た目のつやが改善する。また、同時にヘアセットを行った場合は、そのセット保持性が向上し、セットの型崩れを防ぐことができる。
【００６１】
しかしながら、毛髪１３に、酸結合能を上回る過剰な酸性成分が付与された場合、毛髪１３は酸性成分を取り込めなくなる。過剰な酸性成分は毛髪１３内の水分を排出し、毛髪１３のぱさつき、ざらつきの原因となる。また、結合していたイオン結合が再び切断され、剛性の低下も引き起こす結果となる。
【００６２】
本実施の形態では、毛髪１３のｐＨが低い場合には酸性成分の付与量を低下させるようになるため、酸性成分の過剰付与が行われることなく、毛髪１３を、等電点に近い状態にすることが可能となる。
【００６３】
なお、本実施の形態では、一つの制御モード（第１の制御モード）のみを示したが、例えば、第１の制御モードより酸性成分量の増加の度合いが大きな第２の制御モードを備えて、より多くの酸性成分を毛髪１３に供給するようにしてもよい。
【００６４】
この場合は、例えば、スイッチ１０において、第１の制御モードと第２の制御モードとを切替え可能に構成することで、使用者が任意に上記２つの制御モードを選択可能にして
もよい。
【００６５】
ここで、一般にヘアカラーやパーマネントウェーブといった薬剤は、そのｐＨがアルカリ性となっており、毛髪１３に上記薬剤を使用すると、毛髪１３のｐＨが大きく上昇して、毛髪１３がダメージを受けることになる。
【００６６】
上記のようにｐＨがアルカリ性となった毛髪１３は、酸結合能が上昇することで、通常より多くの酸性成分を取り込むことができることから、毛髪１３に対して、より多くの酸性成分を供給することが望ましい。
【００６７】
よって、上記薬剤を使用した場合は、使用者がスイッチ１０により第２の制御モードを選択することで、第１の制御モードより多くの酸性成分を毛髪１３に供給することができる。
【００６８】
このため、薬剤の使用により、使用者の毛髪１３の状態が異なる場合でも、より毛髪１３内のイオン結合を強化して毛髪１３のキューティクルを引き締めて、毛髪１３をより強固かつなめらかな質感にすることができる。
【００６９】
また、本実施の形態では、酸性ミスト生成部９を、放電電極と対向電極とで構成して、コロナ放電により酸性ミストを生成させるようにしたが、例えば、タンク１２に酸性成分を含んだ液体を貯留し、貯留された液体を、図示しない超音波霧化装置等により酸性ミストを生成させるようにしても、同様の効果を得ることができる。
【００７０】
また、本実施の形態では液体供給部をタンク１２と液体流路１５とで構成したが、例えば、液体供給部を図示しない放熱面と吸熱面を備えたペルチェユニットで構成し、吸熱面に酸性ミスト生成部９の放電電極を接続して放電電極を冷却することで、空気中の水分を放電電極上で結露させて、静電霧化するようにしても、同様の効果を得ることができる。
【００７１】
（実施の形態２）
図６は、本発明の実施の形態２におけるヘアケア装置の外観を示す概略斜視図を、図７は、同ヘアケア装置の内部構成を示す略概図を示すものである。ここでは、上記第１の実施形態と相違する事項についてのみ説明し、同様の構成や作用効果等を有するものについては上記第１の実施形態の説明を援用する。
【００７２】
本発明の第２の実施形態が上記第１の実施形態と異なる部分は、第１の毛髪挟持面３ａの近傍に、第１の毛髪挟持面３ａと第２の毛髪挟持面３ｂとに挟持された毛髪１３に対する、酸性ミスト放出口８の施術方向側への移動距離を検知する距離検知部としての移動距離センサ１６を備えたところである。
【００７３】
移動距離センサ１６としては、光学式移動距離センサや、ロータリセンサ等を用いることが望ましい。また、熱式速度計やジャイロセンサ等をから得られた速度を積分して算出することも可能である。また、移動距離センサ１６は、制御部５と電気的に接続されており、検知した移動距離を制御部５に送信するように構成されている。
【００７４】
以上のように構成されたヘアケア装置について、以下その動作、作用を説明する。
【００７５】
まず、使用者がヘアケア装置１を把持してスイッチ１０をＯＮ操作にしてから、酸性ミストが放出されるまでは、上記実施の形態１と同様である。
【００７６】
本実施の形態が実施の形態１と異なるところは、第１の毛髪挟持面３ａおよび第２の毛
髪挟持面３ｂによって挟持された毛髪１３に対して、酸性ミスト放出口８が相対的に移動する距離を検出し、酸性ミスト放出口が所定の距離を移動した際の、毛髪１３のｐＨの変化量に従って、第１の制御モードと、第２の制御モードを自動的に切替えるところである。
【００７７】
図８は、本実施の形態のヘアケア装置の制御のフローチャートを、図９は、同ヘアケア装置の毛髪１３のｐＨと酸性成分生成量との関係を示す特性図である。
【００７８】
使用者が第１の挟持部２ａと第２の挟持部２ｂとを閉じて、第１の毛髪挟持面３ａと第２の毛髪挟持面３ｂとでケアする毛髪１３を挟持すると、ｐＨ検出部１４に毛髪１３が接触した状態となり、ｐＨ検出部１４は毛髪１３のｐＨの検出を開始し、検出されたｐＨを制御部５へ送信する（ＳＴＥＰ０１）。
【００７９】
使用者が、ヘアケア装置１を施術方向に移動させると、第１の毛髪挟持面３ａおよび第２の毛髪挟持面３ｂによって挟持された毛髪１３に対して、ｐＨ検出部１４と、酸性ミスト放出口８が相対的に移動する（ＳＴＥＰ０２）。
【００８０】
移動距離センサ１６は、この酸性ミスト放出口８の移動距離を検知して、検知した移動距離を制御部５へ送信し、制御部５は、酸性ミスト放出口８が所定の距離を移動した際の、毛髪１３のｐＨを検出する（ＳＴＥＰ０３）。
【００８１】
制御部５は、上記ｐＨが第１の所定の値以下の場合は、第１の制御モードに切替えるように制御する（ＳＴＥＰ０４）。
【００８２】
一方、制御部５は、上記ｐＨが第１の所定の値より大きく、かつ第２の所定の値以上の場合は、第２の制御モードに切替えるように制御する（ＳＴＥＰ０５）。
【００８３】
次に、制御部５は、酸性ミスト放出口８の移動前のｐＨ（図８におけるｐＨ１）と所定の距離を移動した際のｐＨ（図８におけるｐＨ２）とから、所定の移動距離に対するｐＨの変化量（図８におけるｐＨ２−１）を算出し、上記ｐＨの変化量が第３の所定の値以下の場合に、第２の制御モードに切替えるように制御する（ＳＴＥＰ０６）。
【００８４】
一方、制御部５は、上記ｐＨの変化量が、第３の所定の値より大きく、かつ第４の所定の値以上の場合が、第２の制御モードに切替えるように制御する（ＳＴＥＰ０７）。
【００８５】
上記第１の制御モード、または第２の制御モードの切替えに応じて、制御部５は、酸性ミスト生成部９における酸性ミストの生成量を制御している（ＳＴＥＰ０８、ＳＴＥＰ０９）。
【００８６】
なお、上記所定の移動距離は、０．５ｃｍ〜５ｃｍ程度であり、好ましくは１ｃｍ〜２ｃｍ程度である。
【００８７】
また、ｐＨにおける上記第１の所定の値は、６〜７程度であり、第２の所定の値は４〜５．５程度である。
【００８８】
また、上記ｐＨの変化量における第３の所定の値は、０．００５／ｃｍ〜０．０２５／ｃｍ程度であり、好ましくは、０．０１／ｃｍ〜０．０２／ｃｍ程度である。さらに、第４の所定の値は、０．０５／ｃｍ〜１／ｃｍ程度であり、好ましくは、０．１／ｃｍ〜０．２／ｃｍ程度である。
【００８９】
このように、本実施の形態においては、制御部５は、酸性ミスト放出口８が所定の距離を移動した際の、毛髪１３のｐＨの変化量によって、第１の制御モードと、第２の制御モードを自動で切り替えて、酸性ミスト生成部９における酸性ミストの生成量を制御することで、毛髪１３の状態に応じた量の酸性成分を含んだ酸性ミストを、毛髪１３に供給している。
【００９０】
ここで、毛髪１３は上記薬剤の使用の有無によりその性質が異なるために、最適な酸性成分量が異なっている。しかし、使用者が毛髪１３の状態を自ら判断して、第１の制御モードと第２の制御モードとを切替ることは極めて煩雑である。
【００９１】
また、薬剤未使用毛髪と薬剤使用毛髪とが混在する場合（例えば、薬剤使用後の時間経過にともない、新しい毛髪１３が伸びてきた場合等）は、使用者の毛髪１３の状態を判断することが困難となってしまう可能性がある。
【００９２】
本実施の形態によれば、毛髪１３の所定の移動距離に対するｐＨの変化量から、薬剤の使用の有無を判別し、自動で毛髪１３の状態に応じた最適な制御モードに切替えることができる。
【００９３】
また、上記薬剤を使用していない毛髪１３においては、熱や日光等の日常的なダメージにより、頭皮から離れるほど毛髪１３のｐＨが上昇する傾向にある。
【００９４】
上記日常的なダメージのない健常な毛髪１３においては、毛髪１３のｐＨの上昇が見られずに、上記第１の所定の値を超えることがない。このため、検出されたｐＨが、第１の所定の値以下である場合は、薬剤を使用していない毛髪１３ではないと判断することができることから、第１の制御モードに切替えるように制御している。
【００９５】
一方、薬剤を使用した毛髪１３においては、アルカリ性の薬剤との接触により、水酸化物イオン（ＯＨ−）が毛髪１３内に浸透し残留している。
【００９６】
このため、毛髪１３全体がアルカリ性となり、頭皮側の毛髪１３のｐＨと毛先側の毛髪１３のｐＨとの変化量は穏やかなものになる。よって、毛髪１３のｐＨが第２の所定の値より高い場合、および上記所定の移動距離に対する毛髪１３のｐＨの変化量が第３の所定の値の値以下の場合には、薬剤を使用した毛髪１３と判断することができることから、第２の制御モードに切替えるように制御している。
【００９７】
また、薬剤を使用した後に時間が経過し、新しい毛髪１３が伸びてきた場合は、毛髪１３のｐＨは、頭皮側においては低いままであるが、薬剤を使用した部分から急激にｐＨが上昇する。すなわち、所定の移動距離に対する毛髪１３のｐＨの変化量が第４の所定の値よりも大きい場合には、その部分以降において、薬剤を使用した毛髪１３と判断することができることから、第２の制御モードに切替えるように制御している。
【００９８】
以上のように、本実施の形態においては、使用者は、第１の挟持部２ａと第２の挟持部２ｂとを閉じて、第１の毛髪挟持面３ａと第２の毛髪挟持面３ｂとでケアする毛髪１３を挟持すし、ヘアケア装置１を施術方向に移動させるだけで、制御部５が、挟持された毛髪１３のｐＨと、そのｐＨの変化量から、毛髪１３の薬剤の使用有無や使用履歴を判定して、毛髪１３の状態に応じた制御モードに自動で切替えることができる。
【００９９】
上記により、毛髪１３の状態に適合した量の酸性成分を自動的に判定し、毛髪１３に供給することで、毛髪１３内のイオン結合を強化して毛髪１３のキューティクルを引き締めて、毛髪１３をより強固かつなめらかな質感にすることができる。
【０１００】
なお、上記実施の形態の変形例として、ヘアケア装置１を、第１の毛髪挟持面３ａと第２の毛髪挟持面３ｂとで毛髪１３を挟持し、ヒータ４ａおよび４ｂによって毛髪１３を加熱するヘアアイロンとしたが、図１０に示すように、ハウジング１１の一方側に毛髪１３を整流するブリスル１７を有し、ブリスル１７間を通過する毛髪１３に対し酸性ミストを付与するヘアブラシとしても構わない。
【０１０１】
このとき、ｐＨ検出部１４および、移動距離センサ１６、酸性ミスト放出口８は、ハウジング１１において、ブリスル１７が設けられた面に配置されている。
【０１０２】
上記構成により、使用者は毛髪１３をヘアケア装置１のハウジング１１を把持し、毛髪１３をブリスル間に通し、施術方向に移動させるだけで、制御部５は、毛髪１３の状態に適合した酸性ミストを酸性ミスト放出口８から放出し、毛髪１３を等電点に近づけるように酸性ミストを毛髪１３に供給することができる。
【０１０３】
また、上記変形例に加え、図１１のように、空気吸入口２２と空気吐出口２３を繋ぐ空気流路２１と、空気流路２１内に設けられたファン１８と、ファン１８を回転させるためのモータ１９と、空気流路２１を流れる空気を加熱するための空気加熱用ヒータ２０と、を有するヘアドライヤーとすることもできる。
【０１０４】
モータ１９とファン１８とは、同一の回転軸（図示せず）で接続されており、モータ１９および、空気加熱用ヒータ２０は制御部５を介して電気的に接続され、制御部５から供給される電力により駆動されて、ファン１８によって発生した空気流路２１内の風を空気加熱用ヒータ２０で加熱して、ブリスル１７近傍から毛髪１３に供給している。
【０１０５】
上記の場合は、酸性ミストと同時に温風が毛髪１３に供給されるため、毛髪１３を乾燥しながら、また毛髪１３を使用者の所望の形状にセットしながら、毛髪１３の状態に応じて酸性ミストを毛髪１３に供給することができる。
【産業上の利用可能性】
【０１０６】
以上のように、本発明にかかるヘアケア装置は、使用者の毛髪のｐＨに応じた酸性成分尾を含んだ酸性ミストの供給が可能となるので、例えば、羊毛等の動物の体毛（繊維や織物）のケア、上記体毛の染色処理や形成処理におけるケア、または人の皮膚のケア等の用途にも適用できる。
【符号の説明】
【０１０７】
１  ヘアケア装置
２ａ  第１の挟持部
２ｂ  第２の挟持部
３ａ  第１の毛髪挟持面
３ｂ  第２の毛髪挟持面
４ａ、４ｂ  ヒータ
５  制御部
６  電源コード
８  酸性ミスト放出口
９  酸性ミスト生成部
１０  スイッチ
１１  ハウジング
１２  タンク
１３  毛髪
１４  ｐＨ検出部
１５  液体流路
１６  移動距離センサ
１７  ブリスル
１８  ファン
１９  モータ
２０  空気加熱用ヒータ
２１  空気流路
２２  空気吸入口
２３  空気吐出口
【図１】
2014200423.tif 000003
【図２】
2014200423.tif 000004
【図３】
2014200423.tif 000005
【図４】
2014200423.tif 000006
【図５】
2014200423.tif 000007
【図６】
2014200423.tif 000008
【図７】
2014200423.tif 000009
【図８】
2014200423.tif 000010
【図９】
2014200423.tif 000011
【図１０】
2014200423.tif 000012
【図１１】
2014200423.tif 000013